(57)【特許請求の範囲】
【請求項１】
断面Ｕ字状を呈する上枠部材と、該上枠部材の両端部に結合された脚部材とでアーチ状のフレームを形成し、該フレームを一対使用して脚部材の自由端部を回動自在に連結した口金であって、
上記上枠部材と、脚部材とをアルミニウムで形成し、
これら上枠部材と脚部材との結合部分は、少なくとも一箇所のリベット結合によってなされると共に、上枠部材の結合部分に舌状部を設け、該舌状部を脚部材にスポット溶接したこと
を特徴とする袋物用の口金。
【請求項２】
リベット結合は、上枠部材の外側の壁部と脚部材との間でなされている
請求項１に記載の袋物用の口金。
【請求項３】
結合部分の脚部材に段差部を設け、
上枠部材に設けた舌状部に段差部を形成し、
脚部材の段差部を舌状部側の段差部で外側から覆うようにした
請求項１に記載の袋物用の口金。
【請求項４】
上枠部材に、係止部材をリベット結合手段によって設けた
請求項１、２または３に記載の袋物用の口金。
【発明の詳細な説明】
【０００１】
【発明の属する技術分野】
本発明は、財布、ハンドバッグ等の袋物に取り付けて使用される口金であり、特に、上枠部材と、その上枠部材の両端部に一体的に結合された脚部材とでアーチ状に形成されたフレームを用いた袋物用の口金に関するものである。
【０００２】
【従来の技術】
従来この種の上枠部材と、脚部材とを一体的に結合させフレーム形状とした口金としては、例えば、実開平８ー８０３号公報に開示されたハンドバッグ等の口金が従来例として公知である。
【０００３】
この従来例の口金においては、鋼材により断面Ｕ字状の上枠部材と板状の脚部材とを別体に形成し、上枠部材の両端部において、Ｕ字状の開口部に脚部材の端部を挿着し、その挿着部分をはんだ付けまたはろう付け手段により一体的に結合させてアーチ状のフレームを形成するものである。
【０００４】
そして、実際の使用時において、口金自体に、外部からの押圧力が加わった時に、ねじれ、変形または座屈等の不都合が生じないようにするために、使用される鋼材には適宜の厚みをもたせて剛性を付与し、全体的な強度アップを図っており、高級品になればなるほど強度アップのために鋼材の厚みを増している。
【０００５】
【発明が解決しようとする課題】
しかしながら、前記従来例の口金は、その材料が鋼材で形成されていることから、強度アップを図るために鋼材の厚みを増すことで相当な重量が嵩むことになって、例えば、ハンドバッグ等に使用したときに、持ち運びを容易にするための軽量化という課題に逆行するという問題点を有している。
【０００６】
特に、軽量化に関しては、例えば、アルミニウム材を使用すれば、軽量化を達成できるが、アルミニウム材であると別体に形成した上枠部材と脚部材とをはんだ付けまたはろう付けできないのであり、口金を構成するためのアーチ状のフレーム自体が形成できないのである。
【０００７】
従って、従来例の口金においては、強度的に優れ且つ軽量化が図れるようにすることに解決しなければならない課題を有している。
【０００８】
【課題を解決するための手段】
前記従来例の課題を解決する具体的手段として本発明は、断面Ｕ字状を呈する上枠部材と、該上枠部材の両端部に結合された脚部材とでアーチ状のフレームを形成し、該フレームを一対使用して脚部材の自由端部を回動自在に連結した口金であって、上記上枠部材と、脚部材とをアルミニウムで形成し、これら上枠部材と脚部材との結合部分は、少なくとも一箇所のリベット結合によってなされると共に、上枠部材の結合部分に舌状部を設け、該舌状部を脚部材にスポット溶接したことを特徴とする袋物用の口金を提供するものである。
【０００９】
また、本発明においては、リベット結合は、上枠部材の外側の壁部と脚部材との間でなされていること；結合部分の脚部材に段差部を設け、上枠部材に設けた舌状部に段差部を形成し、脚部材の段差部を舌状部側の段差部で外側から覆うようにしたこと；及び上枠部材に、係止部材をリベット結合手段によって設けたこと；を付加的な要件として含むものである。
【００１０】
本発明においては、口金をアルミニウム材で形成し、少なくともリベット結合とスポット溶接結合とにより、上枠部材と脚部材とが強固に連結でき、口金全体として軽量化を図ることができると共に、材料の肉厚を厚くすることができて剛性及び強度的に向上させたのである。
【００１１】
【発明の実施の形態】
次に本発明を図示の実施の形態により更に詳しく説明する。図１は本発明に係る袋物用の口金の一実施の形態を示すものであって、軽量化を図るために口金１は全体をアルミニウム材で形成したものである。即ち、チャンネル状または断面Ｕ字状を呈する上枠部材２と、該上枠部材２の両端部に取り付けられる板状の脚部材３とをアルミニウム材で別体に形成し、両者を一体的に結合させてアーチ状のフレーム４を形成する。そして、このように形成した一対のフレーム４を用いて口金１を形成するのである。
【００１２】
アルミニウム材は、はんだ付け及びろう付けができないことから、本発明においては、その結合、特に、口金としての価値を損なわないようにした結合構成に特徴がある。また、一対のフレーム４は、同一形状のものであって内側となる面を向かい合わせ、各脚部材３の下端部をピン５により回動自在に連結したヒンジ機構を構成のものであるので、その一方のフレーム４について説明する。なお、各脚部材３は、略中間部から下端部分を９０°捻った状態に加工して口金としての開閉ができるようにしてある。
【００１３】
即ち、断面Ｕ字状を呈する上枠部材２は、図２に示したように、頂部２ａをやや平坦部に形成し、該頂部２ａから内側に位置する壁部２ｂと外側に位置する壁部２ｃを形成したものであり、これら壁部２ｂ、２ｃと頂部２ａとの接続部分、即ちエッジ部は僅かな丸みをもって形成してある。そして、上枠部材２の両端部で且つ外側に位置する壁部２ｃには、脚部材３の結合のために、ピン孔６を設けると共に、下端縁に内側へ屈曲した段差部７をもって舌状部８が一連に形成してある。
【００１４】
板状の脚部材３は、所定の厚みをもった細長い板状であって、その上端部寄りにピン孔９が設けられると共に、前記段差部７に略対応するように段差部１０が形成されている。この場合に、脚部材３の厚みは、前記断面Ｕ字状を呈する上枠部材２の壁部２ｂ、２ｃ間に丁度嵌まる厚みであり、ピン孔９及び段差部１０の形成位置も、上枠部材２に形成したピン孔６及び段差部７に対応した位置に形成するものである。
【００１５】
このように形成した上枠部材２に対して脚部材３を結合または取り付けてアーチ状のフレーム４を形成する場合に、上枠部材２の壁部２ｂ、２ｃ間に脚部材３の端部を差し込み、ピン孔６、９を合わせることで脚部材３の段差部１０の外側に壁部２ｃに設けた段差部７が当接して覆い取り付け位置が確立し、そのピン孔６、９に結合用のピン材（リベット）１１を差し込む。
【００１６】
差し込まれたピン材１１は、その先端が内側の壁部２ｂに当接し後端が外側の壁部２ｃから突出した状態になるが、その突出した端部を押圧して加締めることにより、ピン材１１の径が全体的に外側に膨らんで各ピン孔６、９の内側と強固に圧接して回動しない状態の結合、即ち、一種のリベット結合するのである。なお、ピン材１１として使用される材料も好ましくはアルミニウムであるが、その他の材料でも良い。
【００１７】
図示の実施の形態では、ピン孔６、９が円形であり、ピン材１１の丸棒形状であるが、これに限定されることなく、例えば、楕円形、四角形、長方形またはスリット状の溝孔等の非円形の孔が採用でき、これに対応してピン材１１の断面形状も決定されるのである。そして、このように非円形にすることで、上枠部材２に脚部材３を連結・結合させる作業の際に、ピン孔６、９を合わせてピン材１１を挿着した段階で、上枠部材２に対する脚部材３の連結・結合位置が適正な状態で位置決めできるのである。
【００１８】
そして、更に、舌状部８については、例えば、スポット溶接することによって脚部材３との間で溶接部１２が形成され、前記ピン材１１の加締めによるリベット結合と相俟って、更に強固な結合が得られるのである。
【００１９】
この場合に、上枠部材２における壁部２ｂ、２ｃの間隔と脚部材３の厚みの関係、ピン孔６、９の形成位置関係、及び段差部７、１０の形成位置と高さの関係とについて、比較的精度良く形成しておくことで、上枠部材２と脚部材３との連結・結合の強度が一段と増大するばかりでなく、寸法精度を良くすることで結合部分における隙間がなくなって高級感を醸し出すことができるのである。
【００２０】
このようにして上枠部材２に対し脚部材３を結合させてアーチ状のフレーム４を形成し、外側の壁部２ｃ及び舌状部８における加締め後のピン材１１の出っ張りやスポット溶接による痕跡については、表面を研磨することで平坦にし且つ痕跡等を消去することができ、内側となる壁部２ｂにおいては、その表面には加工の痕跡及び傷等が全く付かず、しかも壁部２ｂと脚部材３とが面一となって綺麗な仕上がりとなるのである。
【００２１】
因みに、形成されたアーチ状のフレーム４において、外側の壁部２ｃ側は、ハンドバッグまたは財布等の袋本体部分が取り付けられることから、表面には全く表出しないので、段差部、加工の痕跡または研磨したピンの輪郭が多少存在したとしても、口金の価値としてそれ程大きな影響を及ぼすものではないが、逆に内側となる壁部２ｂ側においては、ハンドバッグまたは財布を開いた時に、表出して目に付き易い面であるので、綺麗な仕上がりが要求されており、それにマッチした状態に形成することができるのである。
【００２２】
アーチ状のフレーム４は、アルミニウムで形成し、全体を研磨し仕上げ加工してその素材のままで使用できることは勿論であるが、その表面には当然のこととして各種金属のメッキまたは蒸着手段による表面層を形成することができるのである。これらの処理は、一対のフレーム４を、内側となる面を向かい合わせて、各脚部材３の下端部をピン５により連結した後に行うものであるが、まだ連結しない前のフレーム４の状態で行うこともできるのであり、いずれにしても、後述する係止部材１３を取り付けたフレーム４の状態で、またはその一対のフレーム４を連結した状態において表面処理して口金１とするものである。
【００２３】
また、口金１の閉状態を維持する係止部材１３が上枠部材２の頂部に取り付けられている。この係止部材１３の取り付けにおいても、上枠部材２及び係止部材１３がアルミニウムで形成されているので、従来のような、はんだ付けまたはろう付けができないために、本発明においては、図４〜図５に示した一つの具体的構成によって係止部材１３を取り付けるのである。
【００２４】
即ち、上枠部材２の頂部２ａに取付手段、例えば、所定の間隔をもって複数のピン孔１４を設け、これらピン孔１４に挿着される連結手段、例えば、複数のピン部材１５を係止部材１３の底面側に突出させて一体に形成しておく。
【００２５】
そして、ピン部材１５を対応するピン孔１４に挿通して頂部２ａの内側、即ち壁部２ｂ、２ｃで囲まれた内側にピン部材１５の端部を突出させ、該突出端部を加締めてピン部材１５の胴部を膨出させてピン孔１４と圧接させると共に、加締め頭部１５ａを形成する、いわゆるリベット結合とすることにより、頂部２ａに対して係止部材１３をガタツキが生じない状態で強固に取り付けることができるのである。
【００２６】
なお、上枠部材２の頂部２ａに形成される取付手段としては、円形のピン孔１４の外に、例えば、楕円形、四角形、長方形またはスリット状の溝孔等が適用でき、これに対応して係止部材１３に設けられる連結手段の形状が決定される。いずれにしても、取付手段と連結手段との寸法精度を厳しくした方が係止部材１３の取付位置及び状態が良好となり、口金１としての閉状態が寸法精度よく遂行され、高級感が醸し出される。
【００２７】
いずれにしても本発明においては、口金１を構成する材料としてアルミニウム材を使用することで、従来の鋼材に比べて略１／３程度の重量にして軽量化を図り、且つ所定の肉厚をもたせて剛性及び強度的にも充分なものにすると共に、特定した手法によって上枠部材２と脚部材３との連結・結合を強度的に優れたものとしてあり、更に、アルミニウム材であることから、取り扱い及び加工性が著しく容易に行えるという加工上のメリットも優れているのである。
【００２８】
【発明の効果】
以上説明したように、本発明に係る袋物用の口金は、断面Ｕ字状を呈する上枠部材と、該上枠部材の両端部に結合された脚部材とでアーチ状のフレームを形成し、該フレームを一対使用して脚部材の自由端部を回動自在に連結した口金であって、上記上枠部材と、脚部材とをアルミニウムで形成し、これら上枠部材と脚部材との結合部分は、少なくとも一箇所のリベット結合によってなされると共に、上枠部材の結合部分に舌状部を設け、該舌状部を脚部材にスポット溶接した構成としたことによって、上枠部材と脚部材とを強固に結合させることができ、口金として従来なされなかった剛性と強度アップを図りながら軽量化を果たすことができるという優れた効果を奏する。
【００２９】
また、リベット結合とスポット溶接とを併合することで、更に連結・結合の強度アップを図ることができ、しかも、リベット結合を、上枠部材の外側の壁部と脚部材との間でなされることによって、上枠部材の内側となる壁部にリベット結合の痕跡が全く表出せず、綺麗に仕上がって高級感を醸し出すという優れた効果を奏する。
【００３０】
更に、口金をアルミニウム材で形成したことにより、その取り扱い及び加工性が著しく向上し、製造が容易になるという優れた効果を奏する。
【図面の簡単な説明】
【図１】本発明の一実施の形態に係る袋物用の口金を示す斜視図である。
【図２】同口金の上枠部材と脚部材との連結部分を分離し且つ拡大して示した要部の斜視図である。
【図３】同口金の上枠部材と脚部材との連結部分を拡大して示した断面図である。
【図４】同口金における上枠部材に対して係止部材を取り付ける状況を略示的に示した説明図である。
【図５】同口金における上枠部材に対して係止部材を取り付けた状況を示すもので、一部を切り欠いて示した正面図である。
【符号の説明】
１  口金
２  上枠部材
２ａ  頂部
２ｂ  内側となる壁部
２ｃ  外側となる壁部
３  脚部材
４  フレーム
５  ヒンジ結合（ピン）
６、９、１４  ピン孔
７、１０  段差部
８  舌状部
１１  ピン材
１２  スポット溶接部
１３  係止部材
１４  小径部または装着部
１５  ピン部材
１５ａ  加締め頭部
【図１】
0004502231.tif 000002
【図２】
0004502231.tif 000003
【図３】
0004502231.tif 000004
【図４】
0004502231.tif 000005
【図５】
0004502231.tif 000006